(57)【特許請求の範囲】
【請求項１】
モジュラージャック組立体であって、
（ａ）第１，第２長手方向壁部（１２，１４）を備える絶縁ハウジング（１０）を具備し、これらの長手方向壁部は、前記第２長手方向壁部（１４）が、離隔した平行な関係で、前記第１長手方向壁部（１２）に重ねて配置され、側壁部（１６，１８）の少なくとも１の対が、第１，第２長手方向壁部（１２，１４）間に介挿されて、前部開口を有する少なくとも１の横方向プラグ収容孔を形成するように配置され、更に、
（ｂ）前縁部を有し、かつ、前記第２長手方向壁部に重ねて配置される第１シールド部材（４０）と、横方向プラグ収容孔の前部開口を囲み、かつ、第１シールド部材（４０）の前縁部の近部に直交して配置された第２シールド部材（７０）とを備え、この第２シールド部材は、後方に延びて第１シールド部材（４０）に係合する第１結合手段（８２）と、後方に延びて第１シールド部材に側方で当接する第２結合手段（８６）と、最初に、後方に、この後、上方に湾曲するタブである第３結合手段（９４）とを有する金属性シールド（３８）を具備し、
前記第１結合手段は、第１シールド部材の孔を通して延びてこの孔の縁部を把持し、このモジュラージャック組立体がパネルの開口内に配置されたときに、前記第１結合手段と第２結合手段と第３結合手段とが相互に作用し、ＥＭＩから有効にシールする、モジュラージャック組立体。
【請求項２】
前記第２結合手段は、最初に、上方かつ後方に、この後、下方かつ後方に湾曲する請求項１に記載のモジュラージャック組立体。
【請求項３】
前記パネルは、縁部と前側部および後側部とを有し、このパネルの縁部が第２結合手段を押圧し、後側部が第３結合手段を押圧する請求項２に記載のモジュラージャック組立体。
【請求項４】
前記パネルは、第２結合手段を屈曲して、前記第２結合手段が第１シールド部材に作用させる圧力を増大する請求項３に記載のモジュラージャック組立体。
【請求項５】
前記第１シールド部材に直交方向段部が設けられ、第１シールド部材の前記孔が、前記直交方向段部に配置される請求項１に記載のモジュラージャック組立体。
【請求項６】
第１結合手段は、後方に延びる一対の脚部を備え、各脚部は、外方に延びる末端突起を有し、これらの突起は第１シールド部材の孔に係合する請求項５に記載のモジュラージャック組立体。
【請求項７】
第１シールド部材の前縁部に近接して離間した間隔で第１，第２シールド部材間に配置された第１，第２結合手段とほぼ同様な結合手段の複数の共働装置が設けられる請求項１に記載のモジュラージャック組立体。
【発明の詳細な説明】
【０００１】
【発明の属する技術分野】
本発明は、電気コネクタ、特に、モジュラージャックに関する。
【０００２】
【従来の技術およびその課題】
モジュラージャックは、電気通信およびコンピュータネットワーク用として周知である。このジャックは、通常、少なくとも１の上部キーウエイを有する矩形の開口を備えている。矩形断面と下面コンタクトと上部キーロックとを有するプラグが、ジャック内に挿入される。このプラグをジャック内に挿入すると、上部キーロックは、ジャックの上部キーウエイにロック位置でスナップ嵌合し、プラグの下面コンタクトは、ジャック内のコンタクトに係合する。
【０００３】
種々の目的、特に、高速データ通信のために、モジュラージャックをシールドし、電磁干渉（ＥＭＩ）を受けないようにすることが必要である。多数のシールド装置が従来技術により示唆されているが、更に、接地用の低インダクタンス通路、および、前部装着パネルに多数のコンタクトを設けることを可能とするシールドが必要とされている。
【０００４】
【課題を解決するための手段】
本発明のモジュラージャック組立体は、モジュラージャックの効果的な大きさのシールドと、接地用の低インダクタンス通路と、前部装着パネルの多数のコンタクトとを提供するシールドを備えている。１の好ましい実施の形態において、このモジュラージャック組立体は、第１，第２長手方向壁部を備える絶縁性ハウジングを具備し、この長手方向壁部は、第２長手方向壁部が、離隔した平行な関係で、第１長手方向壁部に重なるように配置される。少なくとも一対の側壁部が、第１，第２長手方向壁部間に介挿され、前部開口を有する少なくとも１の横方向のプラグ収容孔を形成する。金属性シールドは、第１シールド部材と第２シールド部材とを備えている。前部部材は、ハウジングの第２長手方向壁部に重ねて配置される。横方向のプラグ収容孔の前部開口を囲む第２シールド部材が、第１シールド部材の前縁部の近部に直交して配置される。２つの弾性脚部を有するクリップで形成することも可能な第１結合手段が、第２シールド部材を第１シールド部材に固定する。また、第２シールド部材の第２結合手段は、上方かつ後方に、この後、下方かつ後方に延びて、第１部材に側方で当接する第１タブを有している。第２タブである第３結合手段が、第１タブの近部を後方および上方に延びる。第２タブの上方に延びる部分に近接して外方に向けて配置されたパネルが、第１タブをシールド装置の第１部材に対して屈曲する。この装置は、第１シールド部材の前縁部に沿って所定間隔で離隔した複数の位置に配置するのが好ましい。
【０００５】
以下、添付図面を参照して本発明のモジュラージャックについて更に詳細に説明する。
【０００６】
【発明の実施の形態】
図１から図４を参照すると、本発明のモジュラージャックは、符号１０で全体を示す絶縁性ハウジングを備えている。このハウジングは、下側に水平に配置された長手方向壁部１２と上側に水平に配置された頂壁部である長手方向壁部１４とを備えている。また、絶縁ハウジングは、端部の側壁部１６，１８と、符号２０で示す複数の中間側壁部とを有する。符号１８，２０で示す側壁部の近部に、プラグ収容孔２２が形成されている。これらのプラグ収容孔のそれぞれは、前部開口端部２４と後端部２６とを有している。各プラグ収容孔内には、中間壁部２８と段部３０とが設けられ、キー構造を形成する。モジュラージャックは、更に、装着ピン３２と電導性端子３４，３６とを備えている。また、モジュラージャックは、符号３８で全体を示す金属性シールドを備えている。この金属性シールド３８は、第１シールド部材として第１側方部材４０を備え、この第１側方部材は、絶縁ハウジングの上側の水平の壁部１４に重ねて配置される水平壁部４２を有している。また、第１側方部材４０は、後端部２６に重ねて配置される後部垂直壁部４３と、絶縁ハウジングの側壁部１６に重ねて配置される側方の垂直壁部４４と、絶縁ハウジングの側壁部１８に重ねて配置される側方の垂直壁部４６とを備えている。シールドの第１側方部材は、前部周縁部４８を有し、この縁部から後方に離隔して周方向に沿う段部５０が設けられている。周方向に所定間隔で離隔した位置に、より深い他の凹部５２，５４，５６，５８，６０，６２が設けられている。これらの凹部のそれぞれは、凹部６０内の孔６４で示されている係合孔を有している。また、この金属性シールドの第１側方部材は、ピン６６のような接地ピンを備えている。更に、この金属性シールドは、符号７０で全体を示す第２垂直部材を第２シールド部材として備えている。金属性シールドのこの第２垂直部材は、以下で説明するシステムクリップにより、金属性シールドの第１側方部材に結合される。
【０００７】
符号７２で全体を示す多数の第１凹部係合クリップが設けられている。図５から図７を参照すると、これらの凹部係合クリップのそれぞれは、後方延長部７４と、下方傾斜部７６と、一対の後方に延びる脚部７８，８０とを備え、これらの脚部は、それぞれ、外方に延びるタブあるいは突起８２，８４を後方に有している。これらの脚部は、孔６４のような凹部孔を挿通され、突起８２，８４はこれらの孔の縁部を把持する。凹部係合クリップのそれぞれの近部に、ほぼ水平の一対のタブ８６，８８が外方に向かって設けられている。
【０００８】
特に、図７を参照すると、これらのタブのそれぞれが、上方かつ後方に湾曲した部分９０と、この後、下方かつ後方に湾曲した部分９２とを有し、この下方かつ後方に湾曲した部分９２は、シールドの第１側方部材４０に当接することが明らかである。水平タブ８６，８８の近部に、ほぼ垂直なタブ９４，９６の対が外方に向かって設けられている。これらのタブのそれぞれは、後方に延びる部分９８と上方に延びる部分１００とを有している。モジュラージャックをＥＭＩから有効にシールするために、３組のタブが、第１シールド部材の周縁部４８に沿って離隔した間隔で使用されている。複数のタブを使用することで、シールドとモジュラージャックとを効果的に接地することもできる。
【０００９】
特に図４を参照すると、シールドの前部７０も、クリップ１０２，１０４のような下側の水平クリップにより、下側の長手方向壁部１２に係合することが理解される。
【００１０】
再び特に図７を参照すると、モジュラージャックが、パネル１０６に係合したときに、ほぼ水平方向に沿う第２クリップ８６が、パネルの下縁部１０８により、符号８６′で示す弛緩位置から屈曲することが理解される。符号９４で示すほぼ垂直なタブが、パネルの後側１１０に係合して、パネルに強固に係合し、モジュラージャックを効果的にシールドすることも理解される。
【００１１】
モジュラージャックをＥＭＩから有効にシールする手段が提供されるのが理解される。複数のコンタクトを介する接地への低インダクタンク通路が提供されることも理解されるであろう。
【００１２】
種々の図面の好ましい実施の形態との関連で本発明について説明したが、他の同様の実施の形態が利用可能であること、または、本発明と同じ作用を行うために、本発明から逸脱することなく、上述の実施の形態に対し、変更および追加を行うことができることが理解されるべきである。したがって、本発明は、単一の実施の形態に制限されるべきでなく、添付の特許請求の範囲の記載に従って、その幅および範囲が解釈されるべきである。
【図面の簡単な説明】
【図１】本発明のモジュラージャックの側面図、
【図２】図１に示したモジュラージャックの一部の平面図、
【図３】図１に示したモジュラージャックの一部の正面図、
【図４】図１に示したモジュラージャックの一部の底面図、
【図５】図１のＶ−Ｖに沿う詳細図、
【図６】図１の領域ＶＩの詳細図、
【図７】本発明のモジュラージャックで使用されるシールド装置の作用を示す、図２のＶＩＩ−ＶＩＩに沿う概略的な断面図である。
【符号の説明】
１０…絶縁ハウジング、１２，１４…長手方向壁部、１６，１８，２０…側壁部、２２…プラグ収容孔、２４…前部開口端部、２６…後端部、２８…中間壁部、３０…段部、３２…装着ピン、３４，３６…電導性端子、４０…第１側方部材、４２…水平壁部、４３…垂直壁部、４４…側方の垂直壁部、４６…側方の水平壁部、５０…周方向段部、５２，５４，５６，５８，６０，６２…凹部、６４…孔、６６…ピン、７０…第２垂直部材、７２…第１凹部係合クリップ、７４…後方延長部、７６…下方傾斜部、７８，８０…脚部、８２，８４…突起、９０，９２…湾曲部、９４，９６…タブ、９８…後方に延びる部分、１００…上方に延びる部分、１０２，１０４…水平クリップ、１０６…パネル、１０８…下縁部、１１０…後側
【図１】
0004060402.tif 000002
【図２】
0004060402.tif 000003
【図３】
0004060402.tif 000004
【図４】
0004060402.tif 000005
【図５】
0004060402.tif 000006
【図６】
0004060402.tif 000007
【図７】
0004060402.tif 000008